(57)【要約】【課題】取付け易く、装飾効果の高い髪飾りの提供。【解決手段】装飾を施した伸縮性の被せ部材２の両端に、櫛歯列31を具えた２つの留め具３、３を具えている。一方の留め具３を、櫛歯列31を髪に差し込んで固定し、他方の留め具３を引っ張って被せ部材２を延ばしながら、束ねた髪に巻き付けてから該他方の留め具３の櫛歯列31を髪に差し込んで固定できる。束ねた髪は、被せ部材２が巻き付いているからバラけることはない。又、装飾を施した被せ部材２が、従来の髪束ね用のゴム輪では表現できなかった装飾効果を生む。【選択図】図５
0003128976.tif 000002
【実用新案登録請求の範囲】
【請求項１】
装飾を施した伸縮性の被せ部材(２)の両端に、櫛歯列(31)を具えた２つの留め具(３)(３)を具えている、髪飾り。
【請求項２】
留め具(３)はバネ性の細帯板(32)に該細帯板と直交して櫛歯列(31)を突設している、請求項１に記載の髪飾り。
【請求項３】
櫛歯列(31)の個々の櫛歯(33)は、針金を屈曲部に丸みを持たせて２つ折りして形成され、櫛歯列(31)全体が１本の針金で形成されている、請求項１又は２に記載の髪飾り。
【請求項４】
被せ部材(２)は、複数本の伸縮性紐(21)を２つの留め具(３)(３)との間に掛け渡し、伸縮性紐(21)上に、ビーズや人造宝石を散りばめる等の装飾が施されている、請求項１乃至３の何れかに記載の髪飾り。
【請求項５】
２つの留め具(３)(３)を左右対称となる様に置いたとき、複数本の伸縮性紐(21)は、両留め具(３)(３)間で交叉する様に掛け渡され、伸縮性紐群の並び幅は、両留め具(３)(３)間の中間側へ徐々に幅狭となっている、請求項４に記載の髪飾り。
【考案の詳細な説明】
【技術分野】
【０００１】
本考案は、髪を束ねたり、髪に装飾を施したりするための髪飾りに関するものである。
【背景技術】
【０００２】
髪を束ねるには、ゴム輪やリボンが用いられている。
【考案の開示】
【考案が解決しようとする課題】
【０００３】
ゴム輪の場合は、実用本位で装飾性に欠ける。
リボンの場合は、自分自身で美しく結ぶことは難しい。又、美しく結んでも型崩れし易い。
【０００４】
本考案は、髪を装飾豊かに束ねることができ、しかも自分で簡単に取り付けできる髪飾りを明らかにするものである。
【課題を解決するための手段】
【０００５】
請求項１の髪飾り(１)は、装飾を施した伸縮性の被せ部材(２)の両端に、櫛歯列(31)を具えた２つの留め具(３)(３)を具えている。
【０００６】
請求項２は請求項１の髪飾り(１)において、留め具(３)はバネ性の細帯板(32)に該細帯板(32)と直交して櫛歯列(31)を突設している。
【０００７】
請求項３は請求項１又は２の髪飾り(１)において、櫛歯列(31)の個々の櫛歯(33)は、針金を屈曲部に丸みを持たせて２つ折りして形成され、櫛歯列(31)全体は１本の針金で形成されている。
【０００８】
請求項４は請求項１乃至３の何れかの髪飾り(１)において、被せ部材(２)は、複数本の伸縮性紐(21)を２つの留め具(３)(３)の間に掛け渡し、伸縮性紐(21)上に、ビーズや人造宝石を散りばめる等の装飾が施されている。
【０００９】
請求項５は、請求項４の髪飾り(１)において、留め具(３)(３)を左右対称となる様に置いたとき、複数本の伸縮性紐(21)は、両留め具(３)(３)で交叉する様に掛け渡され、伸縮性紐(21)群の並び幅は、両留め具(３)(３)間の中間位置へ徐々に幅狭となっている。
【考案の効果】
【００１０】
請求項１の髪飾りでは、一方の留め具(３)を、櫛歯列(31)を髪に差し込んで固定し、他方の留め具(３)を引っ張って伸縮性の被せ部材(２)を延ばしながら、束ねた髪に巻き付けてから該他方の留め具(３)の櫛歯列(31)を髪に差し込んで固定できる。束ねた髪を伸縮性の被せ部材(２)が巻き付いて締め付けているから束ねが弛んだり、バラけることはない。
又、装飾を施した被せ部材(２)を拡げて髪に被せることができるため、従来の髪束ね用のゴム輪では表現できなかった装飾効果を生む。
髪に部分的な付け毛をした場合、髪飾り(１)の伸縮性の被せ部材(２)を付け毛に被せ、留め具(３)を地毛に差し込んで留めると、被せ部材(２)が常時付け毛を頭に押しつけるから、付け毛の取り付けが安定し、付け毛の脱落を防止する効果を高めることができる。これは、従来のゴム輪やリボンでは奏し得ない効果である。
【００１１】
請求項２の髪飾りの留め具(３)は、バネ性の細帯板(32)に該細帯板(32)と直交して櫛歯列(31)を突設して形成されているから、留め具(３)に弾性があり、頭の形状や髪に馴染み易く、着用し易い。
【００１２】
請求項３の髪飾りの留め具(３)は、櫛歯列(31)の個々の櫛歯(33)が、針金を屈曲部に２つ折りして形成されているから、櫛歯(33)は弾性に富み、櫛歯列(31)を髪に差し込む際に、髪や頭の皮膚を傷つけることを防止できる。
【００１３】
請求項４の髪飾りの伸縮性の被せ部材(２)は、複数本の伸縮性紐(21)を２つの留め具(３)(３)の間に掛け渡して形成されているから、該被せ部材(２)は、長さ方向は勿論のこと、幅方向の自由度も大きいので、髪を束ねる際には、髪への巻き付け部分の嵩を小さくして体裁よく束ねることができる。髪飾り(１)を、付け毛に被せて使用する際には、被せ部材(２)の幅を拡げて付け毛に被さる領域を拡げることができ、付け毛の取り付けを安定させて脱落防止効果を一層高めることができる。
【００１４】
請求項５の髪飾り(１)の被せ部材(２)は、複数本の伸縮性紐(21)を、両留め具(３)(３)間で交叉する様に掛け渡して形成され、伸縮性紐群の並び幅は、両留め具(３)間の中間位置側へ徐々に幅狭となっているから、束ねた髪に伸縮性の被せ部材(２)を巻き付ける際に、中央部の幅狭部分で嵩低く巻き付けでき、体裁が良い。
【考案を実施するための最良の形態】
【００１５】
図1乃至図５は、本考案の髪飾り(１)の一例を示している。
図１は髪飾りの正面図、図２は背面図である。
髪飾り(１)は、幅広の短い帯状の伸縮性の被せ部材(２)の両端に、２つの留め具(３)(３)を伸縮性の被せ部材の裏側にて互いに内向きに対向する様に取り付けて構成される。
【００１６】
留め具(３)は櫛体(30)であって、バネ性の細帯板(32)に該板と直交して櫛歯列(31)を突設して形成されている。
細帯板(32)は長さ約８cm程度であって、人の頭に沿う様に円弧状に湾曲している。
【００１７】
図２に示す如く、櫛歯列(31)は２０本程度の櫛歯(33)からなり、各櫛歯(33)はバネ性の針金を、屈曲部に丸みを持たせて(図４では櫛歯の先端側を９０°捩っているから先端の丸みは表れていない)２つ折りして形成される。
図４に示す如く、各櫛歯(33)の基端の２本の針金を巻き締めて閉じ、閉じ端を前記細帯板(32)に巻き付けて櫛歯(33)を細帯板(32)に固定して形成されている。
各櫛歯(33)は独立した針金で形成されているのではなく、１本の針金で櫛歯列(31)全体が形成され、該１本の針金の両端が細帯板(32)の両端に複数回巻回されている。
【００１８】
被せ部材(２)が自由長であるときの両細帯板(32)(32)間の長さは９cm程度である。
【００１９】
図１に示す如く、実施例の伸縮性の被せ部材(２)は、両櫛体(30)(30)に跨って掛け渡した複数本の伸縮性紐(21)、(21a)と、該紐に施した装飾品とによって構成される。伸縮性紐(21)は例えば細ゴム紐である。
実施例の被せ部材(２)は、隣り合う間隔の狭い２本の紐(21)(21)、(21a)(21a)を１組の紐列(22)、(22a)とし、６組の紐列(22)(22)(22)、(22a)(22a)(22a)を下記の如く、２つの櫛体(30)(30)の細帯板(32)(32)に掛け渡して形成される。各紐(21)、(21a)には多数のビーズ(23b)が嵌まっており、更に各組の紐列(22)、(22a)にて色の異なるビーズを編み込んで、等間隔に宝飾塊(23)を形成している。
図５に示す如く、両櫛体(30)(30)の細帯板(32)(32)を縦向きに平行にした状態にて、平行な３組づつの紐列(22)(22)(22)、(22a)(22a)(22a)がＸ字状に交わり、各紐列(22)、(22a)の両端の宝飾塊(23a)(23a)がデグスで細帯板(32)上に固定されている。細帯板(32)上で隣り合う宝飾塊(23a)(23a)の配列ピッチは略同じである。
各紐列(22)、(22a)は、３組の紐列を交互に交わす様に、該３組の紐列と交叉している。
【００２０】
次に、髪飾り(１)の使用法の例を示す。
髪の結束
一方の手で髪を束ねて支持する。他方の手で、髪飾り(１)の一方の櫛体(30)の櫛歯列(31)を髪に差し込んで固定し、他方の櫛体(30)を引っ張って被せ部材(２)を延ばしながら、束ねた髪に巻き付けてから該他方の櫛体(30)の櫛歯列(31)を髪に差し込む(図５参照)。
櫛体(30)はバネ性の細帯板(32)に該細帯板(32)と直交して櫛歯列(31)を突設して形成されており、留め具(３)に弾性があるため、着用し易い。
櫛歯列(31)は、個々の櫛歯(33)が針金を屈曲部に丸みを持たせて２つ折りして形成されているから、櫛歯(33)は弾性に富み、櫛歯列(31)を髪に差し込む際に、髪や頭の皮膚を傷つけることを防止できる。
被せ部材(２)は、複数本の伸縮性紐(21)を２つの留め具(３)の間に掛け渡して形成されているから、被せ部材(２)の長さ方向は勿論のこと、幅方向の自由度が大きいので、髪を束ねる際には、髪への巻き付け部分の嵩を小さくして体裁よく束ねることがてきる。
束ねた髪は、伸縮性の被せ部材(２)が巻き付いているから、手を離してもバラけることはない。
又、多数のビーズ(23b)で広範囲に装飾を施した被せ部材(２)が、従来の髪束ね用のゴム輪では表現できなかった装飾効果を生む。
図５に示す如く、束ねた髪の両側にて櫛体(30)(30)の細帯板(32)(32)が縦向き平行になる様に髪飾り(１)を装着すれば、髪飾り(１)はビーズの輝きによって、宝飾された蝶の如き美観を奏する。
【００２１】
付け毛の保護
髪に部分的に取り付けた付け毛(図示せず)から外れた位置にて、一方の櫛体(30)を地毛に差し込む。他方の櫛体(30)を引っ張って被せ部材(２)を延ばして付け毛に被せ、その状態のまま該他方の櫛体(30)を地毛に差し込む。必要に応じて、被せ部材(２)の幅を延ばして、付け毛に被さる範囲を拡げることができる。
櫛体(30)(30)を介して両端が地毛に固定された伸縮性の被せ部材(２)が、付け毛を頭に押しつける様に被さることによって、付け毛の取り付けが安定し、付け毛の脱落を防止する効果を高めることができる。
【００２２】
上記実施例の説明は、本考案を説明するためのものであって、実用新案登録請求の範囲に記載の考案を限定し、或いは範囲を減縮する様に解すべきではない。又、本考案の各部構成は上記実施例に限らず、実用新案登録請求の範囲に記載の技術的範囲内で種々の変形が可能であることは勿論である。
【００２３】
例えば。上記実施例では、被せ部材(２)の装飾にビーズを用いたが、これに限定されることはなく、天然宝石、人造宝石、ガラス玉等を被せ部材(２)に散りばめて装飾することができるのは勿論である。
又、幅広の伸縮性網地や伸縮性布に装飾を施して被せ部材(２)とすることもできる。
【図面の簡単な説明】
【００２４】
【図１】髪飾りの正面図である。
【図２】同上の背面図である。
【図３】同上の側面図である。
【図４】櫛歯列の一部の拡大図である。
【図５】使用状態の説明図である。
【符号の説明】
【００２５】
１  髪飾り
２  被せ部材
21  紐
３  留め具
31  櫛歯列
32  細帯板
33  櫛歯
【図１】
0003128976.tif 000003
【図２】
0003128976.tif 000004
【図３】
0003128976.tif 000005
【図４】
0003128976.tif 000006
【図５】
0003128976.tif 000007